(57)【要約】【課題】  市街地などの小規模河川に好適な地上部の設備が低く、しかも駆動力が小さくして済む往復式除塵機を提供する。【解決手段】  円弧状に湾曲形成したスクリーン１を張り出し側を上流に向けて配置し、その前面に櫛歯状のレーキ２を配置すると共に、このレーキ２をスクリーン１の両側に設けた揺動アーム４，４に揺動可能に取付け、且つレーキ２が下方へ回動しないように揺動アーム４,４にストッパー７,７を設ける。アーム４の取付部４ｃに手動ウインチ６のワイヤーロープ５をスクリーン１の弧状の外面に沿って張設して接続する。レーキ２の両側に設けたアーム８,８の外側にそれぞれレーキ２の姿勢切換用突起または転子９を設け、この突起または転子９を案内するガイドレール１０，１０をスクリーン１より上流側にスクリーン１と同心円上に設ける。そしてガイドレール１０，１０の上部にそれぞれ逆止弁状に進路切換片１１，１１を、また下部には降下姿勢切換用ガイド部１２，１２を設ける。【選択図】    図４
2005113428.tif 000002
【特許請求の範囲】
【請求項１】
スクリーンを円弧状とし、揺動アームに取付けたレーキをスクリーンの上面に沿って移動すると共に前記レーキを吊り上げるワイヤーロープを前記スクリーンに沿って張設するように構成したことを特徴とする往復式除塵機。
【請求項２】
スクリーンを円弧状に湾曲形成し、その張り出し側に櫛歯状のレーキを配置し、このレーキをスクリーンの両側に設けた揺動アームに揺動可能に取付け、且つ駆動装置により上下運動させるように構成すると共に、レーキ上昇時はレーキを掻上げ動作状態に、レーキ降下時はレーキを非掻下げ動作状態とする手段を備えたことを特徴とする請求項１記載の往復式除塵機。
【発明の詳細な説明】
【技術分野】
【０００１】
本発明は、小規模河川に好適な往復式除塵機に関するものである。
【背景技術】
【０００２】
現在小規模河川に一般に使われている除塵設備には、特開２００２−３１７４２８号公報に開示されるように、平坦なスクリーンを水路に斜に設け、その上面側を移動する櫛歯状のレーキを、ワイヤーロープやチェーンなどを介して駆動装置により上下動させるものが使用されている。
【０００３】
前記特開２００２−３１７４２８号公報に開示されるものは、レーキの昇降機構を簡略化したものであるが、この種の平坦なスクリーンを用いた除塵設備は、巻上装置の設置位置が高くなり、小規模河川に用いた場合、地上に突出した設備が目障りになるため、地上設備ができるだけ低くなるようなものが望まれていた。また、レーキの駆動力が小さくて済むものが望まれていた。
【０００４】
図１と図２は、上記の問題を解決するために本発明者等が先に考案した小規模河川用の往復式除塵機の平面図と縦断面図で、スクリーン１を円弧状とし、川幅が狭いため図１に示すようにアーム４，４の片側でスクリーン１の外側に昇降用のワイヤーロープ５の端部を取付部４ａに連結してレーキ２を昇降させるように構成したものであるが、図２に示すようにレーキ２が最下位時のワイヤーロープ５とアーム４の取付部４ａとのなす角が３６°と狭いため、式（１）と式（２）からレーキ２を最下位から巻上げる巻上荷重は５ＫＮ以上になり、従って５ＫＮ以上を巻上げられる巻上機が必要になるばかりでなく、ワイヤーロープ５が巻上機６の渡し台１３の角に引っ掛かり損傷しないように巻上機の設置場所も限定されていた。
【０００５】
【数１】
2005113428.tif 000003
【０００６】
【数２】
2005113428.tif 000004
【特許文献１】特開２００２−３１７４２８号公報（第３頁  、図１）
【発明の開示】
【発明が解決しようとする課題】
【０００７】
そこで本発明は、市街地などの小規模河川に好適な地上部の設備が低く、しかも駆動力が小さくて済み、しかも巻上機の設置位置が自由な往復式除塵機を提供しようとするものである。
【課題を解決するための手段】
【０００８】
本発明は、上記の課題を解決するためになされたもので、スクリーンを円弧状とし、揺動アームに取付けたレーキをスクリーンの上面に沿って移動と共に前記レーキを吊り上げるワイヤーロープを前記スクリーンの上面に沿って張設するようにしたものである。
【０００９】
具体的構成としては、スクリーンを円弧状に湾曲形成し、その張り出し側に櫛歯状のレーキを配置し、このレーキをスクリーンの両側に設けた揺動アームに揺動可能に取付け、且つ駆動装置により上下運動させるように構成すると共に、レーキ上昇時はレーキを掻上げ動作状態に、レーキ下降時はレーキを非掻下げ動作状態とする手段を備え、前記レーキを昇降させる駆動装置と連結したワイヤーロープを前記スクリーンの上面に沿って張設するようにレーキのワイヤーロープの取付位置と駆動装置の取付位置を工夫したものである。
【発明の効果】
【００１０】
本発明によれば、水路上に突出する部分が低くなるため、従来装置よりも目障りにならず、また、レーキに対するワイヤーの引き揚げ角度が大きくなるため従来の方式よりも巻き上げにかかる力が少なくて済むため巻上機も小型のものあるいは手動のもので済むので、市街地にある小規模河川用として好適であり、しかも駆動装置の設置位置も比較的自由に取付けられるため、設計の自由度が増すという利点がある。
【発明を実施するための最良の形態】
【００１１】
図面は本発明の実施例を示すもので、図３は平面図、図４は縦断側面図である。
【実施例１】
【００１２】
図において、１は円弧状に湾曲形成したスクリーンで、その張り出し側を上流側に向けて水路Ｗに設けられる。
【００１３】
２は、水路Ｗの側壁３,３に揺動自在に取付けられた揺動アーム４,４に揺動可能に取付けられたレーキで、取付部４ｃに一端を接続し前記スクリーン１の上面に沿って張設されたワイヤロープ５（実施例ではスクリーン１の横桟１ａの上に這わせた）を介して手動ウインチ６により、前記スクリーン１の上面に沿って上下動せしめられ、上昇時は揺動アーム４,４に設けたストッパー７，７により下方には回動しないように構成されている。また前記揺動アーム４，４は、連結部材４ｂで鳥居状に構成されており、そしてレーキ２の両側に設けたアーム８,８の外側にはそれぞれレーキ２の姿勢切換用突起または転子９が設けられている。
【００１４】
１０，１０は、前記水路Ｗの側壁３，３に取付けられたチャンネル材を用いた降下姿勢保持用の弧状のガイドレールで、前記スクリーン１より上流側にスクリーン１と同心円上に設けられている。そしてこのガイドレール１０，１０の上部にはそれぞれ逆止弁状に進路切換片１１が、また下部には降下姿勢切換用ガイド部１２がそれぞれ設けられている。
【００１５】
このガイドレール１０,１０は、レーキ２の両側に設けられた姿勢切換用突起または転子９を降下時に案内するもので、降下時に手動ウインチ６による引揚力に抗してレーキ２を逆方向に回動させて非掻上げ動作状態にレーキ２の姿勢を維持する。
【００１６】
そしてレーキ２が降下すると、レーキ２に設けた姿勢切換用突起または転子９がガイドレール１０，１０から外れ、降下姿勢切換用ガイド部１２によりレーキ２が回動し図４に示すように掻上げ動作状態となる。
【００１７】
従って、レーキ２は手動ウインチ６を駆動することによりスクリーン１に引掛っているゴミを掻上げ、最上部に達した時、レーキ２は下向きにほぼ垂直になるので、水路Ｗに架設した渡し台１３上にゴミを落すことが出来る。
【００１８】
本実施例によれば、ワイヤーロープ５がスクリーン１の弧状の外面に沿って設けられており、しかもレーキ２のワイヤーロープ５の取付部４ｃがスクリーン近くに設置されているため、レーキ２が最下位にある場合は、図４に示すように、ワイヤーロープ５とアーム４のなす角が７２°となるので、式（２）にこの実施例の数値を代入した式（３）によれば、巻上荷重が５ＫＮ以下となり、駆動力が少ない巻上機を使用することができ、ワイヤーロープ５がスクリーン１の複数の横桟１ａに這わせているためワイヤーロープ５にかかる荷重が分散され、最上位の横桟が河川上となるので、図１、図２に示すように渡し台１３の角によるワイヤーロープの損傷の危険が回避され、安全かつ巻上機の設置位置の自由度が広がる。
【００１９】
【数３】
2005113428.tif 000005
【実施例２】
【００２０】
図５〜図７は第２の実施例を示す平面図と縦断側面図と正面図であり、４ｄはアーム４，４の両端に取付けられたバーで、バーの中央部にワイヤーロープ５が取付けられている。このバー４ｄは、レーキ２の回動の妨げにならないように設置されており、また実施例１と同様にワイヤーロープ５はスクリーン１の弧状の外面に沿って張設され、しかも図６に示すようにワイヤーロープ５とアーム４のなす角は７０°であるから式（１）と式（４）より巻上荷重が５ＫＮ以下で巻上げることができる。
【００２１】
【数４】
2005113428.tif 000006
【００２２】
本往復式除塵機は、スクリーン１が円弧状であるので、スクリーンが平坦な従来装置に比し、水路上に突出する部分が低くなり、しかも掻上げ時の摩擦抵抗が小さいので、駆動力が小さくて済み、ワイヤーロープ５がスクリーン１の弧状の外面に沿って張設されているので、ワイヤーロープ５とアーム４のなす角が大きいので、巻上時の巻上荷重が小さくて済む。
【００２３】
そして、レーキ２は枠状に構成した揺動アーム４，４に取付けられているので、振れが少なく、したがって細かい目幅のスクリーンに適している。
【図面の簡単な説明】
【００２４】
【図１】従来の実施例を示す平面図。
【図２】従来の実施例を示す縦断側面図。
【図３】本発明の第１の実施例の平面図。
【図４】本発明の第１の実施例の縦断側面図。
【図５】本発明の第２の実施例の平面図。
【図６】本発明の第２の実施例の縦断側面図。
【図７】本発明の第２の実施例の正面図。
【符号の説明】
【００２５】
１        スクリーン
２        レーキ
３        側壁
４        揺動アーム
５        ワイヤロープ
６        手動ウインチ
７        ストッパー
８        アーム
９        姿勢切換用突起または転子
１０        ガイドレール
１１        進路切換片
１２        姿勢切換用ガイド部
１３        渡し台
【図１】
2005113428.tif 000007
【図２】
2005113428.tif 000008
【図３】
2005113428.tif 000009
【図４】
2005113428.tif 000010
【図５】
2005113428.tif 000011
【図６】
2005113428.tif 000012
【図７】
2005113428.tif 000013